(57)【要約】【課題】鞄用持ち手を厚さの厚い鞄から薄い鞄にまで取付けることができる汎用性の広い構造とし、鞄内の収納物の重量バランスを均等に保つことができ、さらに鞄に対する横からの衝撃を緩和することができるようにした鞄用持ち手を提供する。【解決手段】鞄２を左右に開く開口部３の左右各側２ａ、２ｂに別体で設けられた第１のハンドル４と第２のハンドル５が夫々、把持部７、８と、該把持部の両端に設けられた脚部６、６…とから構成され、夫々の把持部が互いに着脱自在に結合されることによって合体する構造の鞄用持ち手１において、各脚部６、６…の途中にヒンジ構造による接続部３１が設けられ、該接続部３１の下方に、鞄２の厚さ方向へ自在に回動する下脚部９、９…が設けられている。【選択図】図１
2010207430.tif 000002
【特許請求の範囲】
【請求項１】
鞄を左右に開く開口部の左右各側に別体で設けられた第１のハンドルと第２のハンドルが夫々、把持部と、該把持部の両端に設けられた脚部とから構成され、夫々の把持部が互いに着脱自在に結合されることによって合体する構造の鞄用持ち手において、
各脚部の途中にヒンジ構造による接続部が設けられ、該接続部の下方に、鞄の厚さ方向へ自在に回動する下脚部が設けられたことを特徴とする鞄用持ち手。
【請求項２】
各脚部における下脚部の下端に挿通孔が形成され、該挿通孔に帯状連結部材を装着し、該帯状連結部材の下端を鞄の左右各側に結合したことを特徴とする請求項１記載の鞄用持ち手。
【請求項３】
第１のハンドルの内側面に設けられた凸部を第２のハンドルの内側面に設けられた嵌合穴に嵌合することによって各ハンドルが位置合わせされた状態で合体され、
第１のハンドルの内側に形成された横長凹溝に移動片が摺動自在に嵌合され、該移動片の一端がバネで横長凹溝の長手方向に付勢されると共に、移動片の他端に形成されたボタンが第１のハンドルの端部からバネの付勢力に抗して押し込み自在に突出され、
第１のハンドルの移動片の面内に爪を有する穴部が形成されると共に、第２のハンドルの内側板に溝付き凸部が設けられ、穴部の爪が溝付き凸部の溝に係止されることによって第１のハンドルと第２のハンドルとの結合状態が維持される一方、移動片のボタンをバネの付勢力に抗して押し込むことによって穴部の爪が溝付き凸部の溝に係止された状態から解除されるように構成されたことを特徴とする請求項１又は２記載の鞄用持ち手。
【発明の詳細な説明】
【技術分野】
【０００１】
本発明は、鞄を左右に開く開口部の各側に持ち手が別体に設けられ、この左右の持ち手を結合して合体し、又は結合を解除するようにした鞄用持ち手に関する。
【背景技術】
【０００２】
従来から、鞄を左右に開く開口部の各側に持ち手を別体で設け、この持ち手を合体した状態で握るようにした鞄用持ち手が知られている。このような鞄用持ち手に関連する従来技術として、特許文献１に記載されている鞄用把手を参照する。その構造は、鞄を左右に開く開口部の各側に設けられた持ち手と連結部材とからなり、持ち手は鞄の開口部のそれぞれの左右両側に設けられた連結部材の一端部に一定範囲で回動可能に取り付けられている。
【０００３】
また、連結部材の他端部は、一方の持ち手の内側面に設けられた凸部と、他方の持ち手の内側面に設けられた凹部とが係合すると共に、一方の持ち手に磁石を備え、この磁石によって一方の持ち手を他方の持ち手に付着させるようにしている。
【０００４】
ところが、上記のように磁石を用いて一方の持ち手を他方の持ち手に結合する構造では、その結合力に限界があり、磁石による結合状態を解除するような強い力が作用したとき、鞄の開口部が開いてしまうという不都合が生じる。
【０００５】
そこで、このような不都合を解消するために、本出願人は、特許文献２に示す鞄用持ち手を案出した。その構造は、夫々別体に形成した第１のハンドルの内側面と第２のハンドルの内側面とを対面して合体することにより、第１のハンドルの内側面に設けられた凸部が第２のハンドルの内側面に設けられた嵌合穴に嵌合される。このとき、第１のハンドルの内側面に設けられた移動片の爪が第２のハンドルの内側面に設けられた溝に係止されることによって、第１のハンドルと第２のハンドルとの結合状態が維持される。また、第１のハンドルの内側面の移動片に形成されたボタンを押し込むと、第１のハンドルの爪が第２のハンドルの溝から解除され、第１のハンドルと第２のハンドルとの結合状態が離脱される。
【０００６】
このような特許文献２の鞄用持ち手は、第１のハンドルと第２のハンドルとを嵌め込む操作とボタンを押込む操作によって、第１のハンドルと第２のハンドルとを合体し、又は解除を行うことが可能となる。
【先行技術文献】
【特許文献】
【０００７】
【特許文献１】実用新案登録第３０９３１６０号公報
【特許文献２】特開２００８−１４２１１７号公報
【発明の概要】
【発明が解決しようとする課題】
【０００８】
本発明は、上記の特許文献２の鞄用持ち手の改良に係るものである。即ち、特許文献２の鞄用持ち手のように、鞄を左右に開く開口部の各側に設けられた別体のハンドルを合体する構造の場合、ハンドル幅を鞄の厚さの変化に対応し得る構造とするのが望ましい。また、鞄の内部に収容した荷物の重さに偏りがある場合、ハンドルを手で持ったときの鞄の重両バランスが取り難いという不都合が生じる。さらには、ハンドルを手で持った状態で鞄の側方から衝撃が加えられた場合、この衝撃を緩和し得る構造とするのが望ましい。
【０００９】
本発明はこのような事情に鑑みてなされたものであり、鞄用持ち手を厚さの厚い鞄から薄い鞄にまで取付けることができる汎用性の広い構造とし、鞄内の収納物の重量バランスを均等に保つことができ、さらに鞄に対する横からの衝撃を緩和することができるようにした鞄用持ち手を提供することを目的とする。
【課題を解決するための手段】
【００１０】
上記の目的を達成するために、本発明の請求項１に記載された鞄用持ち手は、鞄を左右に開く開口部の左右各側に別体で設けられた第１のハンドルと第２のハンドルが夫々、把持部と、該把持部の両端に設けられた脚部とから構成され、夫々の把持部が互いに着脱自在に結合されることによって合体する構造の鞄用持ち手において、各脚部の途中にヒンジ構造による接続部が設けられ、該接続部の下方に、鞄の厚さ方向へ自在に回動する下脚部が設けられたことを特徴とする。
【００１１】
また、本発明の請求項２の鞄用持ち手は、請求項１において、各脚部における下脚部の下端に挿通孔が形成され、該挿通孔に帯状連結部材を装着し、該帯状連結部材の下端を鞄の左右各側に結合したことを特徴とする。
【００１２】
さらに、本発明の請求項３の鞄用持ち手は、請求項１又は２において、第１のハンドルの内側面に設けられた凸部を第２のハンドルの内側面に設けられた嵌合穴に嵌合することによって各ハンドルが位置合わせされた状態で合体され、第１のハンドルの内側に形成された横長凹溝に移動片が摺動自在に嵌合され、該移動片の一端がバネで横長凹溝の長手方向に付勢されると共に、移動片の他端に形成されたボタンが第１のハンドルの端部からバネの付勢力に抗して押し込み自在に突出され、第１のハンドルの移動片の面内に爪を有する穴部が形成されると共に、第２のハンドルの内側板に溝付き凸部が設けられ、穴部の爪が溝付き凸部の溝に係止されることによって第１のハンドルと第２のハンドルとの結合状態が維持される一方、移動片のボタンをバネの付勢力に抗して押し込むことによって穴部の爪が溝付き凸部の溝に係止された状態から解除されるように構成されたことを特徴とする。
【発明の効果】
【００１３】
本発明の鞄用持ち手は、各脚部の途中に設けられたヒンジ構造による接続部の下方の下脚部が鞄の厚さ方向へ自在に回動するように構成されている。このような構成によって、各脚部における下脚部が鞄の厚さに応じて柔軟に回動するため、鞄の開口部の左右各側に別体で設けられた第１のハンドルと第２のハンドルが鞄の開口部の左右各側の広がり具合に応じて自在に開脚する。従って、本発明の鞄用持ち手は、厚さの厚い鞄から薄い鞄にまで広い範囲で取付けることができ、また鞄の内部に収納した物のために鞄の開口部が左右に広がっても柔軟に対応することができ、汎用性の広い鞄用持ち手として利用することが可能となる。
【００１４】
また、本発明の鞄用持ち手は、鞄内に収容した物の重量バランスに偏りが生じた場合でも、各脚部の下脚部が鞄の厚さ方向へ自在に回動するため、各下脚部が鞄内の重量の偏りに応じて回動することにより、鞄内の重量の偏りを緩和することが可能となる。
【００１５】
さらに、本発明の鞄用持ち手は、上記のように各脚部の下脚部が鞄の厚さ方向へ自在に回動するため、第１のハンドルと第２のハンドルの各把持部を合体した状態でこの把持部を手で握り持ったとき、鞄に対して横から衝撃が加えられた場合でも、この衝撃を緩和することが可能となる。
【図面の簡単な説明】
【００１６】
【図１】本発明による鞄用持ち手を鞄に取付けた状況を示す斜視図である。
【図２】本発明による鞄用持ち手の側面図である。
【図３】(ａ)は本発明による鞄用持ち手の正面図であり、（ｂ）は上面図であり、（ｃ）は左右の第１のハンドルと第２のハンドルに分離した状態を示す上面図である。
【図４】(ａ−１)は本発明による鞄用持ち手の第１のハンドルの内側面を示す図であり、(ａ−２)は第１のハンドルの部分断面図であり、(ｂ−１)は第２のハンドルの内側面を示す図であり、（ｂ−２）は第２のハンドルの部分断面図である。
【図５】(ａ)は本発明による鞄用持ち手の第１のハンドルの分解図であり、(ｂ)は第１のハンドルの組立て後の内側面を示す図であり、移動片のボタンを押圧する前の状況を示す。
【図６】(ａ)は本発明による鞄用持ち手の第２のハンドルの分解図であり、(ｂ)は第２のハンドルの組立て後の内側面を示す図である。
【図７】(ａ)〜(ｃ)は、本発明による鞄用持ち手の第１のハンドルと第２のハンドルを結合し合体する操作を示す断面図である。
【発明を実施するための形態】
【００１７】
以下、本発明の実施例について図面を参照しながら説明する。
【実施例】
【００１８】
本実施例の鞄用持ち手１は、図１に示すように、鞄２を左右に開く開口部３の左右各側0２ａ、２ｂに別体で設けられた第１のハンドル４と第２のハンドル５とから構成され、各ハンドル４、５は把持部７、８とその両端に脚部６、６…が形成されている。このような第１のハンドル４と第２のハンドル５は、金属又は合成樹脂材料等によって形成することが可能である。また、図２に示すように、第１のハンドル４と第２のハンドル５は、夫々外形がほぼ対称形状に形成されると共に、図４（ａ−２）、（ｂ−２）に示すように夫々の把持部７、８の断面形状が略半円形に形成されている。このような構成により、図３（ｂ）に示すように各ハンドル４、５の内側面を合致させることによって、図２に示すように手で握りやすい略円形断面の把持部７、８となる。
【００１９】
さらに本実施例の鞄用持ち手においては、図２に示すように、左右のハンドル、即ち第１のハンドル４と第２のハンドル５の各脚部６、６…が鞄２の厚さ方向へ互いに開脚状態に形成されると共に、各脚部６、６…の途中に設けられたヒンジ構造による接続部３１の下方の下脚部９、９…が鞄２の厚さ方向へ自在に回動するように構成されている。
【００２０】
このような構造をより詳細に説明すると、図３（ａ）に示すように、例えば第１のハンドル４の把持部７の両端から脚部６、６が湾曲を成しながら垂下状に形成されている。各脚部６、６は夫々同様の構成を有し、接続部３１を境にして上方の上脚部６ａと下方の下脚部９とがヒンジ構造による接続部３１により接続され、下脚部９が接続部３１によって鞄２の厚さ方向へ自在に回動する構造とされている。
【００２１】
接続部３１の具体的構造としては、図３（ａ）に示すように、下脚部９の上端に凸部４０が形成され、該凸部４０が上脚部６ａの下端に形成された凹部４１に嵌合され、これらの凸部４０と凹部４１が貫通孔４３に挿着されたピン４２により連結されている。このような構成によって、図２に示すように、接続部３１のピン４２を中心に、下脚部９が鞄２の厚さ方向へ自在に回動することが可能となる。
【００２２】
なお、図３（ａ）に示す各下脚部９の凸部４０の両側に形成された平端部９ａ、９ａは、図２に示すように、上脚部６ａの下端湾曲部６ｂに接する傾斜状に形成され、下脚部９が回動したとき、傾斜状の平坦部９ａが下端湾曲形状６ｂに当ることによって、下脚部９の回動角度を規制するようにしている。
【００２３】
また、図３〜図６に示すように、各ハンドル４、５の夫々の脚部６の下端、即ち下脚部９の下端は横長の幅広部３９に形成され、この幅広部３９に帯状連結部材１０（図１参照）を挿着する挿通穴１１が形成されている。このような構成により、図１に示すように、各ハンドル４、５の夫々の幅広部３９における挿通穴１１に帯状連結部材１０を挿入して下方へ折曲する。この帯状連結部材１０の両端を鞄２の開口部３の左右各側２ａ、２ｂに縫着又は鋲等、さらにその他の手段で固着することにより、夫々の脚部６、６…の下端、即ち下脚部９の下端が鞄２の左右各側２ａ、２ｂに固定される。このような構成において、鞄２の左右各側２ａ、２ｂに固定された各帯状連結部材１０、１０…に対して、各脚部９、９…の下脚部６、６…は自在に回動することが可能である。
【００２４】
上記の構成により、各脚部６、６…における下脚部９、９…が鞄２の厚さに応じて柔軟に回動するため、鞄２の左右各側２ａ、２ｂの広がり具合に応じて自在に開脚する。また、鞄２内に収容した物の重量バランスに偏りが生じた場合でも、各脚部６、６…の下脚部９、９…が鞄２の厚さ方向へ自在に回動するため、各下脚部９、９…が鞄２内の重量の偏りに応じて回動することにより、鞄２内の重量の偏りを緩和することが可能となる。
【００２５】
また、本実施例の鞄用持ち手１は、各脚部６、６…の下脚部６、６…が鞄２の厚さ方向へ自在に回動するため、第１のハンドル４と第２のハンドル５の各把持部７、８を合体した状態でこの把持部７、８を手で握り持ったとき、鞄２に対して横から衝撃が加えられた場合でも、この衝撃を緩和することが可能となる。
【００２６】
次に本実施例における鞄用持ち手１の内部構造について説明する。図５（ａ）、（ｂ）に示すように、第１のハンドル４の内側面には、その内側板１２ａを支持する段差溝１３ａと、この段差溝１３ａの内側に移動片１４を摺動自在に支持する凹溝１５ａと、その中央に中溝１６ａとが形成されている。また、図５(ａ)の左側端部に示すように、凹溝１５ａには移動片１４のボタン１７を挿通するための案内溝１８が形成されている。さらに、段差溝１３ａの右側端部にはコイルバネ１９の一端を挿着するバネ溝２０が形成されている。
【００２７】
このような構造において、横長の凹溝１５ａは移動片１４の本体部１４ａよりも長手方向にやや長形に形成され、図５(ｂ)に示すように、凹溝１５ａに移動片１４の本体部１４ａを嵌合したとき、該本体部１４ａを凹溝１５ａの長手方向に沿って小幅だけ移動することが可能とされている。
【００２８】
上記の移動片１４は、図５（ａ）に示すように、長方形状の本体部１４ａと該本体部１４ａの左端から細幅の板形状に延長されてなるボタン１７とから成り、本体部１４ａの右端には上記のコイルバネ１９の他端を係止するバネ係止部２１が設けられている。また、この移動片１４の本体部１４ａの面内には、矩形の穴部２２と該穴部２２の右端に形成された爪２３との組み合わせ構造が左右に離間して２組設けられ、爪２３は、図７（ａ）に示すように、第１のハンドル４の内側面から外側へ突出する形状とされ、また爪２３の先端部には傾斜辺２３ａが形成されている。
【００２９】
このような形状の移動片１４の本体部１４ａが、図５(ｂ)に示すように第１のハンドル４の凹溝１５ａに嵌合されることにより、移動片１４はコイルバネ１９の弾性力によって案内溝１８の方向へ付勢され、通常の状態で、移動片１４のボタン１７は、第１のハンドル４の端部からやや突出した状況を呈する状態となる。
【００３０】
なお、図７（ａ）に示すように、第１のハンドル４の案内溝１８には段部１８ａが形成され、移動片１４のボタン１７との境界に形成された折曲部１７ａがコイルバネ１９の不勢力によって段部１８ａに当接することにより、移動片１４が案内溝１８方向へ移動する量を規制するように構成されている。
【００３１】
さらに、図５（ａ）に示すように、第１のハンドル４の内側板１２ａは、第１のハンドル４の段差溝１３ａに嵌合される長方形状を有し、その面内には、上記の移動片１４の左右の穴部２２、２２と爪２３、２３とが形成された位置に対応して、案内穴２４、２４と各案内穴２４の左端に連続して開口した案内凹部２５、２５とが離間して２組形成されている。また、これら２組の案内穴２４と案内凹部２５との形成位置から夫々図示の右方に離間して、２個の角形の凸部２６、２６が外側へ向けて突出形成されている（図３（ｃ）参照）。
【００３２】
この第１のハンドル４の内側板１２ａは、その四方に設けられた貫通穴に挿通されたネジ２７、２７…を上記の段差溝１３ａの四方に形成されたネジ穴２８、２８…に螺入することによって、図５（ｂ）に示すように、内側板１２ａが段差溝１３ａを閉塞すると共に、上記の移動片１４を凹溝１５ａ内に摺動自在に覆う構造となる。このように内側板１２ａを段差溝１３ａに固定した状態において、第１のハンドル４の内側板１２ａに離間した２組の案内穴２４、２４に、移動片１４の穴部２２、２２が合致した状態で位置合せされることとなる。また、夫々の移動片１４の爪２３、２３が案内凹部２５、２５から突出した状態となる。
【００３３】
一方、第２のハンドル５の内側面は、図６（ａ）、(ｂ)に示すように、その内側面の面内に内側板１２ｂを支持する段差溝１３ｂと、該段差溝１３ｂの内側に板バネ２９、２９を取り付けるための長尺溝３０とが形成されている。各板バネ２９は、図７（ａ）乃至（ｃ）に示すように、両端が湾曲状に形成された弾性構造を有し、長尺溝３０内において内側板１２ｂの左右の嵌合穴３４、３４に対応する位置に嵌合される。
【００３４】
また、図６（ａ）に示すように、第２のハンドル５の内側板１２ｂには、２個の溝付き凸部３２、３２（図３（ｃ）参照）と、２個の嵌合穴３４、３４が形成されている。これらの溝付き凸部３２、３２と嵌合穴３４、３４は、図７（ｂ）に示すように、第１のハンドル４と第２のハンドル５を結合したとき、第２のハンドル５の溝付き凸部３２、３２が第１のハンドル４の左右の案内穴２４、２４に夫々嵌合し、また第２のハンドル５の嵌合穴３４、３４が第１のハンドル４の左右の凸部２６、２６に嵌合する位置関係に形成されている。
【００３５】
さらに、第２のハンドル５の上記の２個の溝付き凸部３２、３２に設けられた溝３３、３３（図４（ｂ−２）参照）は、図６（ａ）、（ｂ）に示す左方向に向けて穿設された形状とされ、第２のハンドル５の内側面を第１のハンドル４の内側面に対面して合致したとき、第１のハンドル４の左右の爪２３、２３が第２のハンドル５における左右の溝付き凸部３２、３２の溝３３、３３に係止される関係とされている。
【００３６】
また、図６（ａ）に示すように、第２のハンドル５の内側板１２ｂは、その四方に設けられた貫通穴に挿通されたネジ３５、３５…を把持部８側の段差溝１３ａの四方に形成されたネジ穴３６、３６…に螺入することによって、図６(ｂ)に示すように、内側板１２ｂが段差溝１３ａを閉塞する。
【００３７】
上記のように構成された鞄用持ち手の第１のハンドル４と第２のハンドル５とを結合して合体するには、図７（ａ）に示すように、分離状態の第１のハンドル４と第２のハンドル５の夫々の内側を対面して、図７(ｂ)に示すように合致する。これによって、第１のハンドル４の左右の凸部２６、２６が第２のハンドル５の左右の嵌合穴３４、３４に嵌合される。これによって、第１のハンドル４と第２のハンドル５との夫々の内側面が位置合わせされた状態で合致される。
【００３８】
このとき、第２のハンドル５の夫々の溝付き凸部３２、３２の端部が第１のハンドル４の夫々の爪２３、２３の傾斜辺２３ａ、２３ａを押圧することによって、移動片１４がコイルバネ１９の付勢力に抗して案内溝１８の方向へ移動する。また、第２のハンドル５の夫々の溝付き凸部３２、３２の溝３３、３３に第１のハンドル４の夫々の爪２３、２３が係止された状態となり、第１のハンドル４と第２のハンドル５とが結合された状態が維持される。
【００３９】
また、図７（ｂ）に示すように、第１のハンドル４と第２のハンドル５とが結合された状態において、移動片１４のボタン１７は第1のハンドル４と第２のハンドル５の端部から外方へ突出した状況にある。そこで、図７(ｃ)に示すように、ボタン１７をコイルバネ１９の付勢力に抗して押し込むことにより、夫々の案内穴２４、２４の爪２３、２３が溝付き凸部３２、３２の溝３３、３３に係止された状態から開放される。同時に、第２のハンドル５の内部に設けられた板バネ２９、２９が第１のハンドル４の左右の凸部２６、２６を外方へ弾発することにより、第１のハンドル４を第２のハンドル５から付勢状態で分離することとなる。
【産業上の利用可能性】
【００４０】
本発明の鞄用持ち手は、鞄用持ち手を厚さの厚い鞄から薄い鞄にまで取付けることができる汎用性の広い構造とし、鞄内の収納物の重量バランスを均等に保つことができ、さらに鞄に対する横からの衝撃を緩和することができるようにした鞄用持ち手として利用可能である。
【００４１】
また、鞄の左右各側に別体で設けられた持ち手がワンタッチで合体する構造を有し、鞄の開口部を左右に開く力が作用した場合でも、合体した状態の持ち手が分離しないようにロックすることができ、またワンタッチで合体した持ち手を別体に分離することができるようにした鞄用持ち手として利用可能である。
【符号の説明】
【００４２】
１  鞄用持ち手
２  鞄
２ａ、２ｂ  鞄の開口部の左右各側
３  開口部
４  第１のハンドル
５  第２のハンドル
６  脚部
６ａ  上脚部
６ｂ  下端湾曲部
７  第１のハンドルの把持部
８  第２のハンドルの把持部
９  下脚部
９ａ  平端部
１０  連結部材
１１  挿通穴
１２ａ  第１のハンドルの内側板
１２ｂ  第２のハンドルの内側板
１３ａ  第１のハンドルの段差溝
１３ｂ  第２のハンドルの段差溝
１４  移動片
１４ａ  本体部
１５ａ  第１のハンドルの凹溝
１６ａ  第１のハンドルの中溝
１６ｂ  第２のハンドルの中溝
１７  ボタン
１７ａ  屈曲部
１８  案内溝
１８ａ  段差
１９  コイルバネ
２０  バネ溝
２１  バネ係止部
２２  穴部
２３  爪
２３ａ  傾斜辺
２４  案内穴
２５  案内凹部
２６  凸部
２７  ネジ
２８  ネジ穴
２９  板バネ
３０  長尺溝
３１  接続部
３２  溝付き凸部
３３  溝
３４  嵌合穴
３５  ネジ
３６  ネジ穴
３９  幅広部
４０  凸部
４１  凹部
４２  ピン
４３  貫通孔
【図１】
2010207430.tif 000003
【図２】
2010207430.tif 000004
【図３】
2010207430.tif 000005
【図４】
2010207430.tif 000006
【図５】
2010207430.tif 000007
【図６】
2010207430.tif 000008
【図７】
2010207430.tif 000009